(57)【要約】【課題】紙幣や取引カード等の複数の取引媒体を顧客に排出する場合に、第３者による不正行為を防止する手段を提供する。【解決手段】取引カードの挿入および排出を行うカード取扱口６ａと、通帳の挿入および排出を行う通帳取扱口７ａと、紙幣の投入および排出を行う紙幣取扱口８ａと、硬貨の投入および排出を行う硬貨取扱口９ａとを備え、顧客との取引を自動で行う現金自動預払機１において、カード取扱口６ａと通帳取扱口７ａと紙幣取扱口８ａと硬貨取扱口９ａとに、それぞれ近接センサ１２ａ〜１２ｄを設け、取引媒体の排出準備が終了した後に、近接センサ１２が、顧客の接近を検知したときに、当該近接センサ１２が設けられた取扱口による排出動作を行う。【選択図】        図１
2010092129.tif 000002
【特許請求の範囲】
【請求項１】
取引媒体である取引カードの挿入および排出を行うカード取扱口と、取引媒体である通帳の挿入および排出を行う通帳取扱口と、取引媒体である紙幣の投入および排出を行う紙幣取扱口と、取引媒体である硬貨の投入および排出を行う硬貨取扱口とを備え、顧客との取引を自動で行う自動取引装置において、
前記カード取扱口と、前記通帳取扱口と、前記紙幣取扱口と、前記硬貨取扱口とに、それぞれ近接センサを設け、
前記取引媒体の排出準備が終了した後に、前記近接センサが、顧客の接近を検知したときに、当該近接センサが設けられた取扱口による排出動作を行うことを特徴とする自動取引装置。
【請求項２】
取引媒体である取引カードの挿入および排出を行うカード取扱口と、取引媒体である通帳の挿入および排出を行う通帳取扱口と、取引媒体である紙幣の投入および排出を行う紙幣取扱口と、取引媒体である硬貨の投入および排出を行う硬貨取扱口とを備え、顧客との取引を自動で行う自動取引装置において、
前記カード取扱口と、前記通帳取扱口と、前記紙幣取扱口と、前記硬貨取扱口とに、それぞれ近接センサを設けると共に、顧客を再度認証する再認証手段を設け、
前記取引媒体の排出準備の終了後に、前記再認証手段により顧客を再認証した場合は、前記近接センサが、顧客の接近を検知したときに、当該近接センサが設けられた取扱口による排出動作を行い、
前記再認証手段により顧客を再認証しなかった場合は、前記排出準備した取引媒体を回収することを特徴とする自動取引装置。
【請求項３】
請求項２において、
前記再認証手段が、再入力された暗証番号の一致により顧客を認証する認証手段であることを特徴とする自動取引装置。
【請求項４】
請求項２において、
前記再認証手段が、顧客から検出した生体情報の一致により顧客を認証する認証手段であることを特徴とする自動取引装置。
【発明の詳細な説明】
【技術分野】
【０００１】
本発明は、金融機関の店舗に設置され、顧客との取引を自動で行う現金自動預払機等の自動取引装置に関する。
【背景技術】
【０００２】
従来の現金自動預払機においては、紙幣入出金口を開閉する紙幣シャッタと、硬貨入出金口を開閉する硬貨シャッタと、を開動作させるシャッタスイッチを設け、紙幣および硬貨の排出時に、顧客がシャッタスイッチを押下すると、紙幣シャッタおよび硬貨シャッタを開放して、顧客に紙幣および硬貨を排出している（例えば、特許文献１参照。）。
【特許文献１】特開２００６−６５８１０号公報（主に段落００２０、第１図、第３図）
【発明の開示】
【発明が解決しようとする課題】
【０００３】
しかしながら、上述した従来の技術においては、紙幣および硬貨を排出するときに、紙幣シャッタおよび硬貨シャッタを、シャッタスイッチの押下により、同時に開放しているため、紙幣または硬貨を順に受取ることが必要になり、一方を取出している間に、他方を第３者に盗まれてしまう場合があるという問題がある。
本発明は、上記の問題点を解決するためになされたもので、紙幣や取引カード等の複数の取引媒体を顧客に排出する場合に、第３者による不正行為を防止する手段を提供することを目的とする。
【課題を解決するための手段】
【０００４】
本発明は、上記課題を解決するために、取引媒体である取引カードの挿入および排出を行うカード取扱口と、取引媒体である通帳の挿入および排出を行う通帳取扱口と、取引媒体である紙幣の投入および排出を行う紙幣取扱口と、取引媒体である硬貨の投入および排出を行う硬貨取扱口とを備え、顧客との取引を自動で行う自動取引装置において、前記カード取扱口と、前記通帳取扱口と、前記紙幣取扱口と、前記硬貨取扱口とに、それぞれ近接センサを設け、前記取引媒体の排出準備が終了した後に、前記近接センサが、顧客の接近を検知したときに、当該近接センサが設けられた取扱口による排出動作を行うことを特徴とする。
【発明の効果】
【０００５】
これにより、顧客は、自己の意思による取引媒体の受取りのタイミングで、当該取引媒体を個別に受取ることができ、他の取引媒体が露出したままの状態になるのを防止して、複数の取引媒体を排出する場合における第３者による不正行為を防止することができるという効果が得られる。
【発明を実施するための最良の形態】
【０００６】
以下に、図面を参照して本発明による自動取引装置の実施例について説明する。
【実施例１】
【０００７】
図１は実施例１の現金自動預払機の外観を示す説明図、図２は実施例１の現金自動預払機を示すブロック図である。
図１、図２において、１は自動取引装置としての現金自動預払機であり、銀行等の金融機関の支店やコンビニエンスストア等の店舗に設置され、専用回線や電話回線等の通信回線を介して、口座開設者である顧客の顧客識別子としての顧客ＩＤに対応させて顧客の口座の口座番号等の口座情報や、口座残高等の顧客情報を保有して顧客の口座を管理する図示しないホストコンピュータと接続しており、顧客との間での現金（紙幣および硬貨）による取引処理を自動で行う。
【０００８】
３は現金自動預払機１の制御部であり、通信回線を介して図示しないホストコンピュータに接続しており、現金自動預払機１内の各部を制御して、取引処理や本人認証処理、取引媒体個別排出処理等を実行する機能を有している。
４は記憶部であり、制御部３が実行するプログラムやそれに用いる各種のデータおよび制御部３による処理結果等が格納される。
【０００９】
５は操作表示部であり、現金自動預払機１の前面に設けられ、ＣＲＴやＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
６はカード取扱部であり、カード取扱口６ａから挿入された顧客の取引媒体としてのキャッシュカードやクレジットカード等の取引カードの磁気ストライプやＩＣチップ等に記録されている顧客ＩＤや口座番号、暗証番号等のカード情報を読取る機能を有すると共に、取引媒体としての明細票等に取引内容等を印刷する機能等を有している。
【００１０】
７は通帳取扱部であり、通帳取扱口７ａから挿入された顧客の取引媒体としての通帳の磁気ストライプやＩＣチップ等に記録されている顧客ＩＤや口座番号等の通帳情報を読取る機能を有すると共に取引内容等を顧客の通帳に記帳する機能を有している。
８は紙幣入出金部であり、入金取引時等に紙幣取扱口８ａの紙幣シャッタ８ｂを開放して顧客が投入した取引媒体としての紙幣を受入れ、これを鑑別および計数して収納庫に収納し、出金取引時等に収納庫から顧客に支払う紙幣を繰出し、これを計数して紙幣取扱口８ａに集積し、紙幣シャッタ８ｂを開放して紙幣を顧客に排出する機能を有している。
【００１１】
９は硬貨入出金部であり、入金取引時等に硬貨取扱口９ａの硬貨シャッタ９ｂを開放して顧客が投入した取引媒体としての硬貨を受入れ、これを鑑別および計数して収納庫に収納し、出金取引時等に収納庫から顧客に支払う硬貨を繰出し、これを計数して硬貨取扱口９ａに集積し、硬貨シャッタ９ｂを開放して紙幣を顧客に排出する機能を有している。
１０は音声部であり、制御部３が生成した音声データを音声に変換するスピーカ１０ａを備えており、音声により顧客の操作等を促す案内文言を顧客に報知する機能を有している。
【００１２】
１２ａ〜１２ｄは近接センサであり、発光部から発した光の反射光を受光部で受光して顧客の手等人体の一部の接近や離脱を検知する光学式のセンサである。
本実施例の近接センサ１２ａはカード取扱口６ａの近傍に、近接センサ１２ｂは通帳取扱口７ａの近傍に、近接センサ１２ｃは紙幣取扱口７ａの近傍に、近接センサ１２ｄは硬貨取扱口８ａの近傍に、それぞれ設けられている。
【００１３】
上記の現金自動預払機１の記憶部４には、顧客が選択した取引の入力を受付け、これを基に図示しないホストコンピュータと交信して顧客との取引処理を自動で行う機能等を有する通常の取引処理プログラムに、図３を用いて説明する本実施例の取引媒体個別排出処理を行う機能を有するアプリケーションプログラム等が追加された業務処理実行プログラムが予め格納されており、制御部３が実行する業務処理実行プログラムのステップにより本実施例の現金自動預払機１のハードウェアとしての各機能手段が形成される。
【００１４】
以下に、図３に示すフローチャートを用い、Ｓで示すステップに従って本実施例の取引媒体個別排出処理について、出金取引処理を例に説明する。
金融機関の店舗の係員が、始業時等に現金自動預払機１へ電源を投入すると、現金自動預払機１の記憶部４に格納されている業務処理実行プログラムが自動的に起動される。
Ｓ１、業務処理実行プログラムが起動すると、現金自動預払機１の制御部３は、業務処理実行プログラムにより、その操作表示部５の表示画面に取引選択画面を表示して待機する。
【００１５】
取引選択画面には、取引選択ボタンの押下を促す旨の文言と出金取引のための「お引き出し」ボタンおよび入金取引のための「お預け入れ」ボタン、振込取引のための「お振り込み」ボタン、口座残高を照会する残高照会取引のための「残高照会」ボタン、通帳に未記入の取引データを記帳する通帳記帳取引のための「通帳記帳」ボタン等の取引を選択するための取引選択ボタンが表示される。
【００１６】
本実施例では、顧客は出金取引を選択し、操作表示部５の表示画面から入力手段によって「お引き出し」ボタンを押下する。
Ｓ２、顧客の選択した取引を入力手段からの出力信号等により出金取引と認識した制御部３は、操作表示部５の表示画面に取引カードの挿入を促す旨の文言等を表示したカード挿入依頼画面を表示し、顧客はこれに従って取引カードをカード取扱部６のカード取扱口６ａに挿入する。
【００１７】
このとき、制御部３はカード取扱部６によって、取引カードの磁気ストライプ等に記録されているカード情報を読取り、読取ったカード情報を記憶部４に一時保存する。
Ｓ３、カード情報を読取った制御部３は、操作表示部５の表示画面に認証情報入力画面を表示する。
認証情報入力画面には、認証情報としての暗証番号の入力を促す旨の文言等および暗証番号表示欄とその入力のためのテンキーや入力の間違いを訂正するための「訂正」ボタン等が表示される。
【００１８】
顧客はテンキー等によって暗証番号を入力する。
Ｓ４、入力された暗証番号を認識した制御部３は、入力された暗証番号と、記憶部４に一時保存されている、取引カードから読取った暗証番号との一致を確認して顧客を認証し、その操作表示部５の表示画面に出金金額入力画面を表示する。
出金金額入力画面には、出金金額の入力を促す旨の文言等および出金金額表示欄とその入力のためのテンキー、金額の単位を入力するための「万」キー、「千」キー、「円」キーや入力の間違いを訂正するための「訂正」ボタン、並びに出金金額の入力終了を指示するための「確認」ボタンが表示される。
【００１９】
顧客はテンキー等によって出金金額を入力し、「確認」ボタンを押下する。
なお、暗証番号が一致しない場合は所定の回数、例えば３回の入力を受付け、入力された暗証番号が所定の回数を超えても一致しない場合は、制御部３は取引カードをカード取扱口６ａから排出して出金取引処理を終了させ、ステップＳ１へ戻って操作表示部５の表示画面に取引選択画面を表示して待機する。
【００２０】
Ｓ５、入力された出金金額を認識した制御部３は、図示しないホストコンピュータとの間で出金取引の交信処理を行う。
すなわち、制御部３は操作表示部５の表示画面にしばらくの間の待機を促す旨の文言等を表示した待機依頼画面を表示すると共に、読取ったカード情報に入力された出金金額等を添付した出金取引の取引電文を作成し、これを通信回線を介して図示しないホストコンピュータへ送信する。
【００２１】
出金取引の取引電文を受信した図示しないホストコンピュータは、取引電文に含まれるカード情報を基に顧客情報を検索して該当する顧客情報の口座残高を更新し、取引許可の旨を電文にした取引終了電文を作成し、これを送信元の現金自動預払機１へ通信回線を介して送信する。
取引終了電文を受信した現金自動預払機１の制御部３は出金取引の交信処理を終了する。
【００２２】
Ｓ６、取引終了電文を受信して顧客との取引を許可と認識した制御部３は、取引媒体である取引カードや明細票、紙幣、硬貨の排出準備を行う。
すなわち、制御部３は、出金金額に相当する紙幣および硬貨を、紙幣入出金部８および硬貨入出金部９からそれぞれ計数して繰出し、これを紙幣取扱口８ａおよび硬貨取扱口９ａに集積して一時待機させる。
【００２３】
これと並行して、制御部３は取引内容等を基に印刷データを作成し、これをカード取扱部６へ送って明細票を印刷し、取引カードおよび印刷した明細票をカード取扱部６に一時待機させる。
なお、通帳が挿入されている場合は、取引内容等を通帳に記帳し、記帳を終えた通帳を通帳取扱部７に一時待機させる。
【００２４】
Ｓ７、取引媒体の排出準備を終えた制御部３は、操作表示部５の表示画面に紙幣や硬貨、取引カード、明細票等の取引媒体の受取りを促す旨の文言等を表示した取引媒体受取依頼画面を表示すると共に、カード取扱口６ａや紙幣取扱口８ａ、硬貨取扱口９ａの、取引媒体を排出する準備が整った取扱口（通帳が挿入されている場合は通帳取扱口７ａを含む。）の近傍に設けた図示しないフリッカランプを点滅させながら、音声部１０のスピーカ１０ａから、これら取引媒体の受取りを促す旨の文言を顧客に報知して、顧客に取引媒体の受取りを促し、以下に示す取引媒体個別排出処理を実行する。
【００２５】
Ｓ８、取引媒体個別排出処理を開始した制御部３は、取引媒体受取依頼画面を表示しながら近接センサ１２ａ〜１２ｄからの顧客の手の検知信号の着信を待って待機し、いずれかの近接センサ１２からの検知信号を受信したときに、ステップＳ９へ移行する。
近接センサ１２からの検知信号を受信しない場合は、前記の待機を継続する。
Ｓ９、制御部３は、受信した検知信号が紙幣取扱口８ａの近接センサ１２ｃからの検知信号である場合は、ステップＳ１０へ移行する。他の近接センサ１２からの検知信号の場合は、ステップＳ１１へ移行する。
【００２６】
Ｓ１０、紙幣取扱口８ａの近接センサ１２ｃからの検知信号を受信した制御部３は、紙幣入出金部８の紙幣シャッタ８ｂを開放して紙幣取扱口８ａに一時待機させていた紙幣を排出する、紙幣取扱口８ａによる排出動作を行う。
そして、顧客が紙幣取扱口８ａから紙幣を受取ったことを確認したときに、紙幣シャッタ８ｂを閉鎖する共に紙幣取扱口８ａのフリッカランプを消灯してステップＳ１１へ移行する。
【００２７】
Ｓ１１、制御部３は、受信した検知信号が硬貨取扱口９ａの近接センサ１２ｄからの検知信号である場合は、ステップＳ１２へ移行する。他の近接センサ１２からの検知信号の場合は、ステップＳ１３へ移行する。
Ｓ１２、硬貨取扱口９ａの近接センサ１２ｄからの検知信号を受信した制御部３は、硬貨入出金部９の硬貨シャッタ９ｂを開放して硬貨取扱口９ａに一時待機させていた硬貨を排出する、硬貨取扱口９ａによる排出動作を行う。
【００２８】
そして、顧客が硬貨取扱口９ａから硬貨を受取ったことを確認したときに、硬貨シャッタ９ｂを閉鎖する共に硬貨取扱口９ａのフリッカランプを消灯してステップＳ１３へ移行する。
Ｓ１３、制御部３は、受信した検知信号がカード取扱口６ａの近接センサ１２ａからの検知信号である場合は、ステップＳ１４へ移行する。他の近接センサ１２からの検知信号の場合は、ステップＳ１５へ移行する。
【００２９】
Ｓ１４、カード取扱口６ａの近接センサ１２ａからの検知信号を受信した制御部３は、カード取扱部６のカード取扱口６ａから一時待機させていたカードおよび明細票を排出する、カード取扱口６ａによる排出動作を行う。
そして、顧客がカード取扱口６ａからカードおよび明細票を受取ったことを確認したときに、カード取扱口６ａのフリッカランプを消灯してステップＳ１５へ移行する。
【００３０】
Ｓ１５、制御部３は、受信した検知信号が通帳取扱口７ａの近接センサ１２ｂからの検知信号である場合は、ステップＳ１６へ移行する。他の近接センサ１２からの検知信号の場合は、ステップＳ１７へ移行する。
Ｓ１６、通帳取扱口７ａの近接センサ１２ｂからの検知信号を受信した制御部３は、通帳取扱部７の通帳取扱口７ａから一時待機させていた通帳を排出する、通帳取扱口７ａによる排出動作を行う。
【００３１】
そして、顧客が通帳取扱口７ａから通帳を受取ったことを確認したときに、通帳取扱口７ａのフリッカランプを消灯してステップＳ１７へ移行する。
Ｓ１７、制御部３は、各取扱口における取引媒体の有無を確認し、いずれかの取扱口に取引媒体が存在する場合は、ステップＳ８へ戻ってステップＳ８による待機を継続する。
全ての取扱口に取引媒体が存在しない場合は、全ての排出動作を終えたと判定して、本実施例の出金取引処理を終了させ、ステップＳ１へ戻って操作表示部５の表示画面に取引選択画面を表示して待機する。
【００３２】
このように、本実施例の取引媒体個別排出処理においては、各取引媒体の排出準備の終了後に、顧客の手等の顧客の身体の一部を近接センサ１２のいずれか一つが検出したときに、当該近接センサ１２が設けられた取扱口による当該取引媒体の排出動作を行い、当該取引媒体を顧客が受取ったことを確認した後に、他の近接センサ１２が顧客を検出したときに、当該近接センサ１２が設けられた取扱口による当該取引媒体の排出動作を行うので、顧客は、自己の意思による取引媒体の受取りのタイミングで、当該取引媒体を個別に受取ることができ、他の取引媒体が露出したままの状態になるのを防止して、複数の取引媒体を排出する場合における第３者による不正行為を防止することができる。
【００３３】
以上説明したように、本実施例では、現金自動預払機における取引媒体を取扱うカード取扱口と通帳取扱口と紙幣取扱口と硬貨取扱口とに、それぞれ近接センサを設け、取引媒体の排出準備が終了した後に、近接センサが顧客の接近を検知したときに、当該近接センサが設けられた取扱口による排出動作を行うようにしたことによって、顧客は、自己の意思による取引媒体の受取りのタイミングで、当該取引媒体を個別に受取ることができ、他の取引媒体が露出したままの状態になるのを防止して、複数の取引媒体を排出する場合における第３者による不正行為を防止することができる。
【実施例２】
【００３４】
図４は実施例２の現金自動預払機の外観を示す説明図、図５は実施例２の現金自動預払機を示すブロック図である。
なお、上記実施例１と同様の部分は、同一の符号を付してその説明を省略する。
図４、図５において、２１は生体情報検出部であり、画像処理により顧客の認証情報としての指紋や虹彩等の生体情報を検出し、取得した生体情報（本実施例では、指紋情報）を制御部３へ送出する機能を有している。
【００３５】
本実施例の現金自動預払機１の記憶部４には、上記実施例１と同様の取引処理プログラムに、図６を用いて説明する本実施例の取引媒体個別排出処理を行う機能を有するアプリケーションプログラムおよび顧客再認証処理を行う機能を有するアプリケーションプログラム等が追加された業務処理実行プログラムが予め格納されており、制御部３が実行する業務処理実行プログラムのステップにより本実施例の現金自動預払機１のハードウェアとしての各機能手段が形成される。
【００３６】
また、記憶部４には、顧客の顧客ＩＤに対応させて、当該顧客の指紋情報が予め登録されている。
以下に、図６に示すフローチャートを用い、ＳＡで示すステップに従って本実施例の顧客再認証処理および取引媒体個別排出処理について、出金取引処理を例に説明する。
本実施例のステップＳＡ１〜ＳＡ６の作動は、上記実施例１のステップＳ１〜Ｓ６の作動と同様であるので、その説明を省略する。
【００３７】
ＳＡ７、取引媒体の排出準備を終えた制御部３は、操作表示部５の表示画面に、認証情報（本実施例では、生体情報である指紋情報）の入力を促す旨の文言やその入力方法の文言等を表示した認証情報再入力依頼画面を表示すると共に、音声部１０のスピーカ１０ａから指紋情報の入力を促す旨の文言を顧客に報知して、顧客に認証情報の再入力を促す。
顧客は生体情報検出部２１に顧客の指先の腹側を載置して顧客の指紋を入力する。
【００３８】
ＳＡ８、制御部３は、生体情報検出部２１によって、入力された顧客の指紋から指紋情報を検出し、記憶部４に一時保存されている、取引カードから読取った顧客ＩＤを基に、記憶部４に登録されている当該顧客ＩＤの指紋情報を抽出し、検出した指紋情報と抽出した指紋情報とが一致した場合は、取引を開始した顧客と、指紋情報を入力した顧客とが同一人と判定し、顧客を再認証してステップＳＡ１０へ移行する。
【００３９】
検出した指紋情報と抽出した指紋情報とが不一致の場合は、取引を開始した顧客が入れ代わったと判定してステップＳＡ９へ移行する。
ＳＡ９、取引を開始した顧客が入れ代わったと判定した制御部３は、排出準備を行った取引媒体、つまり紙幣取扱口８ａや硬貨取扱口９ａに一時待機させた紙幣や硬貨、カード取扱部６に一時待機させた取引カードおよび明細票、通帳が挿入されている場合は、通帳取扱部７に一時待機させた通帳を、それぞれの図示しない回収庫に搬送してこれらの取引媒体を回収すると共に、操作表示部５の表示画面に、再度の取引を促す旨の文言等を表示した再取引依頼画面を表示し、所定の時間の経過後に、今回の出金取引処理を終了させ、ステップＳ１へ戻って操作表示部５の表示画面に取引選択画面を表示して待機する。
【００４０】
ＳＡ１０、顧客を再認証した制御部３は、上記実施例１のステップＳ７と同様にして、顧客に取引媒体の受取りを促し、取引媒体個別排出処理を実行する。
その後のステップＳＡ１１〜ＳＡ２０の作動は、上記実施例１のステップＳ８〜Ｓ１７の作動と同様であるので、その説明を省略する。
このように、本実施例の取引媒体個別排出処理においては、各取引媒体の排出準備の終了後に、顧客の指紋情報を取得して顧客の再認証を行い、その後に、近接センサ１２のいずれか一つが顧客を検知したときに、当該近接センサ１２が設けられた取扱口による当該取引媒体の排出動作を行い、当該取引媒体を顧客が受取ったことを確認した後に、他の近接センサ１２が顧客を検知したときに、当該近接センサ１２が設けられた取扱口による当該取引媒体の排出動作を行うので、顧客は、自己の意思による取引媒体の受取りのタイミングで、当該取引媒体を個別に受取ることができ、他の取引媒体が露出したままの状態になるのを防止して、複数の取引媒体を排出する場合における第３者による不正行為を防止することができると他、顧客が入れ代わった場合は、取引媒体を回収して正当顧客の取引カード等の取引媒体を保管することができると共に、第３者による不正行為を防止することができる。
【００４１】
なお、本実施例では、顧客を再認証するための認証情報は生体情報であるとして説明したが、上記ステップＳＡ３と同様にして、暗証番号の再入力を受付け、再入力された暗証番号と、取引カードから読取った暗証番号との一致により、顧客を再認証するようにしてもよい。
また、本実施例では、生体情報は顧客の指紋から検出した指紋情報であるとして説明したが、顧客の虹彩や顔、声紋から検出した虹彩情報や顔情報、声紋情報であってもよい。
【００４２】
以上説明したように、本実施例では、上記実施例１と同様の効果に加えて、取引媒体の排出準備の終了後に、再認証手段により顧客を再認証した場合は、近接センサが、顧客の接近を検知したときに、当該近接センサが設けられた取扱口による排出動作を行い、再認証手段により顧客を再認証しなかった場合は、排出準備した取引媒体を回収するようにしたことによって、顧客が入れ代わった場合は取引媒体を回収して、正当顧客の取引カード等の取引媒体を保管することができると共に、第３者による不正行為を防止することができる。
【００４３】
なお、上記各実施例においては、顧客識別子は顧客ＩＤであるとして説明したが、顧客識別子は前記に限らず、顧客の口座番号等であってもよい。
また、上記各実施例においては、自動取引装置は現金自動預払機であるとして説明したが、自動取引装置は前記に限らず、ＣＤ（Ｃａｓｈ  Ｄｉｓｐｅｎｓｅｒ：現金自動支払機）や両替機等であってもよい。
【図面の簡単な説明】
【００４４】
【図１】実施例１の現金自動預払機の外観を示す説明図
【図２】実施例１の現金自動預払機を示すブロック図
【図３】実施例１の取引媒体個別排出処理を示すフローチャート
【図４】実施例２の現金自動預払機の外観を示す説明図
【図５】実施例２の現金自動預払機を示すブロック図
【図６】実施例２の顧客再認証処理および取引媒体個別排出処理を示すフローチャート
【符号の説明】
【００４５】
１    現金自動預払機
３    制御部
４    記憶部
５    操作表示部
６    カード取扱部
６ａ  カード取扱口
７    通帳取扱部
７ａ  通帳取扱口
８    紙幣入出金部
８ａ  紙幣取扱口
９    硬貨入出金部
９ａ  硬貨取扱口
１０  音声部
１０ａ  スピーカ
１２、１２ａ〜１２ｄ  近接センサ
２１  生体情報検出部
【図１】
2010092129.tif 000003
【図２】
2010092129.tif 000004
【図３】
2010092129.tif 000005
【図４】
2010092129.tif 000006
【図５】
2010092129.tif 000007
【図６】
2010092129.tif 000008